(57)【特許請求の範囲】
【請求項１】
底部分となる矩形のスキッドと、
前記スキッドの前後に立設される側面部分の１対の棲枠と、
前記スキッドの左右に立設される側面部分の１対の側枠と、を有し、
前記スキッドの前後・左右の寸法に比べ前記棲枠および前記側枠の高さの寸法が大きく、組み立て使用された後に前記スキッド上に前記棲枠および前記側枠を分解収納して返送することを繰り返す組立式梱包容器であって、
前記スキッドの周囲に設けられ前記棲枠および前記側枠を前記スキッド上に収納可能な高さに調整する棲枠用、および側枠用のスキッドフレームと、
前記棲枠用のスキッドフレームと前記側枠用のスキッドフレームの交差部に設けられ収納する前記棲枠または前記側枠との干渉を防止する空間部と、を備える、
ことを特徴とする組立式梱包容器。
【請求項２】
前記棲枠用のスキッドフレームと前記側枠用のスキッドフレームは、異なる高さで構成する、
ことを特徴とする請求項１に記載の組立式梱包容器。
【請求項３】
前記空間部の外側には、直交する前記棲枠用のスキッドフレームと前記側枠用のスキッドフレームとを連結するコーナー部材を設ける、
ことを特徴とする請求項１または２に記載の組立式梱包容器。
【請求項４】
前記スキッドは、
前後寸法の長さの板材または左右寸法の長さの板材に、それぞれフォークリフトの爪の間隔をあけて形成される平面部と、
前記平面部以外の前記板材の両側に前記スキッドの高さで形成される折起し部と、
前記折起し部の上端に形成され床材を支持する支持部と、でフォーク用ポケット部材を構成し、
前記フォーク用ポケット部材を、前記平面部同士で直交させて井桁状に組み合わせ、直交する前記折起し部の一方に連結用フランジ部を設けて他方の前記折起し部に当てて連結して構成する、
ことを特徴とする請求項１〜３のいずれかに記載の組立式梱包容器。
【発明の詳細な説明】
【技術分野】
【０００１】
本発明は、組立式梱包容器に関する。
【背景技術】
【０００２】
組立式梱包容器として、例えば特許文献１に開示されたものがある。
特許文献１に開示された組立式梱包容器は、箱状の枠体やパネルを備えた箱体とされる。組立式梱包容器の場合は、底部分（スキッド）の前後・左右に側面部分（前後の棲枠、左右の側枠）を立設して構成される。
組立式梱包容器には、１回の輸送にのみ使用するものと、組立と分解とを繰り返して使用する（いわゆるリターナブルケース）ものとがある。
繰り返し使用するリターナブルケースでは、輸送時には、例えば枠体の内部に自動車や２輪車などの部品を収納し、輸送完了後は、底部分のスキッド上に側面部分の棲枠および側枠を分解して積み重ねて輸送元に送り返すことが行われる。
【先行技術文献】
【特許文献】
【０００３】
【特許文献１】特開平９−３０１３６３号公報
【発明の概要】
【発明が解決しようとする課題】
【０００４】
特許文献１に記載の組立式梱包容器では、底部分（スキッド）の前後・左右の寸法に比べ、高さ寸法の大きい枠体や箱体を必要とする場合に、高さ寸法に応じた側面部分（棲枠および側枠）とすると、分解して底部分（スキッド）上に積み重ねたときに、棲枠や側枠の一部がはみ出してしまい輸送に支障をきたす。
このため、底部分（スキッド）の寸法に比べて高さの高い側面部分（棲枠および側枠）を備える場合であっても分解して底部分に積み重ねることができる組立式梱包容器が望まれている。
【０００５】
本発明は、上記の要望に鑑みてなされたもので、底部分の寸法に対して高さが高い側面部分を備える場合であっても分解して底部分に積み重ねることができる組立式梱包容器を提供することを目的とする。
【課題を解決するための手段】
【０００６】
上記目的を達成するため、本発明の組立式梱包容器は、
底部分となる矩形のスキッドと、
前記スキッドの前後に立設される側面部分の１対の棲枠と、
前記スキッドの左右に立設される側面部分の１対の側枠と、を有し、
前記スキッドの前後・左右の寸法に比べ前記棲枠および前記側枠の高さの寸法が大きく、組み立て使用された後に前記スキッド上に前記棲枠および前記側枠を分解収納して返送することを繰り返す組立式梱包容器であって、
前記スキッドの周囲に設けられ前記棲枠および前記側枠を前記スキッド上に収納可能な高さに調整する棲枠用、および側枠用のスキッドフレームと、
前記棲枠用のスキッドフレームと前記側枠用のスキッドフレームの交差部に設けられ収納する前記棲枠または前記側枠との干渉を防止する空間部と、を備える、
ことを特徴とする。
【０００７】
また、前記棲枠用のスキッドフレームと前記側枠用のスキッドフレームは、異なる高さで構成する、
ようにしても良い。
【０００８】
前記空間部の外側には、直交する前記棲枠用のスキッドフレームと前記側枠用のスキッドフレームとを連結するコーナー部材を設ける、
ようにしても良い。
【０００９】
前記スキッドは、
前後寸法の長さの板材または左右寸法の長さの板材に、それぞれフォークリフトの爪の間隔をあけて形成される平面部と、
前記平面部以外の前記板材の両側に前記スキッドの高さで形成される折起し部と、
前記折起し部の上端に形成され床材を支持する支持部と、でフォーク用ポケット部材を構成し、
前記フォーク用ポケット部材を、前記平面部同士で直交させて井桁状に組み合わせ、直交する前記折起し部の一方に連結用フランジ部を設けて他方の前記折起し部に当てて連結して構成する、
ようにしても良い。
【発明の効果】
【００１０】
本発明によれば、底部分の寸法に対して高さが高い側面部分を備える場合であっても分解して底部分に積み重ねることができる。
【図面の簡単な説明】
【００１１】
【図１】本発明の組立式梱包容器の一実施の形態にかかる組立状態の一部分を拡大した概略斜視図である。
【図２】本発明の組立式梱包容器の一実施の形態にかかる分解収納状態の概略斜視図である。
【図３】本発明の組立式梱包容器の一実施の形態にかかるスキッドの平面図、側面図、正面図および部分拡大図である。
【図４】本発明の組立式梱包容器の一実施の形態にかかる棲枠の正面図、部分平面図および部分側面図である。
【図５】本発明の組立式梱包容器の一実施の形態にかかる側枠の正面図、部分平面図および部分側面図である。
【図６】本発明の組立式梱包容器の一実施の形態にかかるコーナーブラケットの平面図および側面図である。
【図７】本発明の組立式梱包容器の一実施の形態にかかる天枠の平面図、側面図および正面図である。
【発明を実施するための形態】
【００１２】
以下、本発明の組立式梱包容器の一実施の形態について図面を参照して詳細に説明する。
組立式梱包容器１は、パネルを備えた箱体またはパネルの無い枠体とされるが、ここでは、底部分以外は、パネルの無い枠体の組立式梱包容器の場合について説明する。
組立式梱包容器１は、底部分となるスキッド２と、前後の側面部分となる１対の棲枠３と、左右の側面部分となる１対の側枠４とを備えて枠体で構成される。なお、本組立式梱包容器１での前後・左右は、説明の便宜上の前後・左右であって、前後と左右とを入れ替えることも可能である。
【００１３】
組立式梱包容器１の底部分となるスキッド２は、スキッド上面となる床板２１を省略した図３に示すように、井桁状に組み合わせたフォーク用ポケット部材２２，２３を備える。
スキッド２の前後方向に配置される前後フォーク用ポケット部材２２は、スキッド２の前後方向の長さの金属板材で作られる。前後フォーク用ポケット部材２２は、左右方向のフォーク爪の挿入間隔に対応する２つの平面部２２ａを備える。前方の平面部２２ａの前側、後方の平面部２２ａの後側、および２つの平面部２２ａの中間の３箇所には、左右両側をフォーク爪を挿入可能なスキッド２の高さで垂直に折り起こした折起し部２２ｂが形成される。折起し部２２ｂの上端縁には、外側に折り曲げた支持部２２ｃが水平に形成され、床板２１を支持できるようにしてある。
スキッド２の左右方向に配置される左右フォーク用ポケット部材２３は、スキッド２の左右方向の長さの金属板材で作られる。左右フォーク用ポケット部材２３は、前後方向のフォーク爪の挿入間隔に対応する２つの平面部２３ａを備える。左方の平面部２３ａの左側、右方の平面部２３ａの右側、および２つの平面部２３ａの中間の３箇所には、前後両側をフォーク爪を挿入可能なスキッド２の高さで垂直に折り起こした折起し部２３ｂが形成される。折起し部２３ｂの上端縁には、外側に折り曲げた支持部２３ｃが水平に形成され、床板２１を支持できるようにしてある。また、左右フォーク用ポケット部材２３には、２つの平面部２３ａの左右端に位置する垂直の折起し部２３ｂの両端縁に外側に折り曲げた連結用フランジ部２３ｄが形成してある。
【００１４】
スキッド２では、２つの左右フォーク用ポケット部材２３を左右方向のフォーク爪の挿入間隔をあけて配置し、各平面部２３ａにそれぞれ、２つの前後フォーク用ポケット部材２２の平面部２２ａを載せるように組みわせて井桁状とする。左右フォーク用ポケット部材２３の連結用フランジ部２３ｄを前後フォーク用ポケット部材２２の折起し部２２ｂに当ててスポット溶接などで連結する。
さらに、スキッド２のフォーク爪の挿入部分以外の部分と４隅には、板材を曲げ加工した断面形状が略コ字状の補強フレーム２４をスポット溶接などで取り付けてある。スキッド２の４隅の補強フレーム２４同士は、４隅に段積み用空間をあけてスキッド２の内側で直角に当てられ、角部補強板２５を介して溶接してある。また、図示省略したが、スキッド２には、前後フォーク用ポケット部材２２と左右フォーク用ポケット部材２３とが交差することで形成される左右方向中央部に、補強フレームが取り付けられて補強してある。
前後フォーク用ポケット部材２２の支持部２２ｃ、左右フォーク用ポケット部材２３の支持部２３ｃおよび補強フレーム２４上に床板２１が載せられ、スポット溶接などで連結固定してある。
これにより、前後・左右方向からフォーク爪を差し込むことができる４方指しのスキッド２が構成される。
また、スキッド２は、板材を曲げ加工した部材を組み合わせて組み立てられているので、中空角材をすのこ状に組み合わせる場合に比べ、軽量化を図ることができる。また、スキッド２を４方差しとすることが容易となる。
この実施の形態では、スキッド２の前後方向の長さＬが１１９０ｍｍ、左右方向の幅Ｗが１１４５ｍｍであり、組立式梱包容器１の高さＨが１２４３ｍｍとされ、スキッド２の長さＬおよび幅Ｗよりも高さＨが大きくなっている。
また、スキッド２の内寸は、前後方向の長さが１１４５ｍｍ、左右方向の幅が１１０８ｍｍとされている。
【００１５】
スキッド２は、スキッド２の周囲に棲枠３および側枠４をスキッド２上に収納可能な高さに調整する棲枠用のスキッドフレーム２６と、側枠用のスキッドフレーム２７と、を備えている。また、棲枠用のスキッドフレーム２６と側枠用のスキッドフレーム２７の４隅の交差部には、棲枠３または側枠４との干渉を防止する空間部２８を備える。
【００１６】
棲枠用のスキッドフレーム２６は、スキッド２の前後端に左右方向に沿って全長にわたって配置される。棲枠用のスキッドフレーム２６は、横断面が中空４角形状とされ、その高さを調整することで、棲枠３の高さをその分だけ低くする。
例えば、スキッド２の高さＨｓを６１ｍｍとし、棲枠用のスキッドフレーム２６の高さＨ1を７５ｍｍとすれば、組立式梱包容器１の高さＨが１２４３ｍｍであることから、棲枠３の高さＨ3を１１０７ｍｍにすることで、所定の高さ（１２４３ｍｍ）の組立式梱包容器１の棲枠３が構成できる。
【００１７】
側枠用のスキッドフレーム２７は、スキッド２の左右端に前後方向に沿って配置され、両端部に空間部２８を備える。側枠用のスキッドフレーム２７は、横断面が中空４角形状とされ、その高さを調整することで、側枠４の高さをその分だけ低くする。
例えば、スキッド２の高さＨｓを６１ｍｍとし、側枠用のスキッドフレーム２７の高さＨ2を４０ｍｍとすれば、組立式梱包容器１の高さＨが１２４３ｍｍであることから、側枠３の高さＨ4を１１４２ｍｍにすることで、所定の高さ（１２４３ｍｍ）の組立式梱包容器１の側枠４が構成できる。
棲枠用のスキッドフレーム２６と側枠用のスキッドフレーム２７との間の空間部２８は、後述する棲枠３を収納する場合に、棲枠３の両端部との干渉を防止する。すなわち、側枠用のスキッドフレーム２７は、スキッド２の幅方向に対し内側に取り付けるため、スキッド２の幅と略同一幅の棲枠３を収納すると、棲枠３の両端部との干渉を生じるが、空間部２８によって干渉を防止する。
空間部２８は、例えば側枠用のスキッドフレーム２７の幅を１６ｍｍとした場合に、空間部２８の側枠用のスキッドフレーム２７の長さ方向に３８ｍｍの空間が形成してある。
棲枠用のスキッドフレーム２６と側枠用のスキッドフレーム２７との交差部の外側には、直角に形成されたコーナー部材２９が当てられて溶接される。
コーナー部材２９には、補強フレーム２４も溶接され、剛性を高めている。
【００１８】
棲枠用のスキッドフレーム２６と側枠用のスキッドフレーム２７には、それぞれ棲枠３および側枠４を組み立てるための２種類の棲枠端部固定用部材２６ａおよび棲枠中央固定用部材２６ｂと１種類の側枠固定部材２７ａが設けてある。
【００１９】
棲枠端部固定用部材２６ａは、平面形状がＬ字状に形成される。棲枠端部固定用部材２６ａは、スキッドフレーム２６上の左右両端部の２箇所に配置され、コーナー部材２９に一端部を当てることでスキッドフレーム２６の軸方向内側に対向して開口するとともに、上方に開口して溶接されている。
棲枠中央固定用部材２６ｂは、平板状に形成される。棲枠中央固定用部材２６ｂは、スキッドフレーム２６の軸方向中間部の外側に上方に突き出して溶接されている。
これにより、両端部の棲枠端部固定部材２６ａの間に上方の開口から棲枠３を差し込んで左右両端部を位置決めすることができる。また、棲枠中央固定用部材２６ｂにより、棲枠３は、スキッド２の前後方向外側への位置ずれが防止される。
【００２０】
側枠固定用部材２７ａは、横断面形状が略コ字状とされて上方が開口し、開口の後方が高く、開口の前方が低く形成され、前方の低い上端縁に内側、すなわち後方側に曲げられた押え部が形成されている。側枠固定用部材２７ａは、側枠用のスキッドフレーム２７の両端部に後方の高い部分をスキッド２の内側に配置して溶接してある。
これにより、側枠固定用部材２７ａの開口部から側枠４をスキッド２の外側に傾けるようにして差し込んだ後、側枠４を内側に起こすようにすることで固定することができる。
【００２１】
棲枠３は、矩形断面の中空角材を用いて略４角形状に形成されており、スキッド２の前後に配置されて立設連結される。中空角材は、棲枠３をスキッド２上に水平に積み重ねた場合の厚さ（立設時の奥行き）が小さくなり、組立式梱包容器１の内容積をできるだけ大きくできるように断面形状および寸法を設定し、板材を曲げ加工してある。
棲枠３は、図１に斜視外観を、図４に詳細を示すように、左右両端に配置されるそれぞれ２本の端部柱部材３１と、４本の端部柱部材３１の上端部を連結する上辺部材３２と、４本の端部柱部材３１の下端部を連結する下辺部材３３と、で略４角形状に枠組みされている。棲枠３は、上辺部材３２および下辺部材３３の間に中間部柱部材３４が配置される。さらに、棲枠３は、補強のため補強部材３５が斜めに取り付けられている。棲枠３では、両端の２本の端部柱部材３１の内側の上隅部に上連結板３５ａが溶接され、中央の中央柱部材３４の内側の下端部に下連結板３５ｂが溶接されている。補強部材３５は、上連結板３５ａと下連結板３５ｂとの間に斜めに配置されて溶接されている。
棲枠３は、下辺部材３３が棲枠用のスキッドフレーム２６の２つの棲枠端部固定用部材２６ａの間に差し込んで連結位置決めできる寸法とされ、スキッド２の幅Ｗよりは短くなっている。上辺部材３２は、スキッド２の幅Ｗと略同一の長さとしてある。
例えば、棲枠３は、上辺部材３２が１１４０ｍｍ、下辺部材３３が１１０５ｍｍ、高さＨ3が１１０７ｍｍとしてある。
【００２２】
棲枠３は、立設状態を保持するための連結構造として、上辺部材３２にスキッド２の内側（側枠４側）に直角に突き出す連結突片３２ａが溶接してある。
上辺部材３２には、上下方向に開口する嵌合受け部３２ｂが設けられ、平面形状がハット形の板材を溶接して形成されている。嵌合受け部３２ｂには、後述するコーナーブラケット５の嵌合突片５４を嵌合することで、棲枠３と側枠４との上端隅部が連結固定される。
【００２３】
側枠４は、矩形断面の中空角材を用いて略４角形状に形成されており、スキッド２の左右に配置されて立設連結される。中空角材は、棲枠３と同様に、側枠４をスキッド２上に水平に積み重ねた場合の厚さ（立設時の奥行き）が小さくなり、組立式梱包容器１の内容積をできるだけ大きくできるように断面形状および寸法を設定し、板材を曲げ加工してある。
側枠４は、図１に斜視外観を、図５に詳細を示すように、左右両端に配置されるそれぞれ１本の端部柱部材４１と、２本の端部柱部材４１の上端部を連結する上辺部材４２と、２本の端部柱部材４１の下端部を連結する下辺部材４３と、で略４角形状に枠組みされている。側枠４は、上辺部材４２および下辺部材４３の間に中間部柱部材４４が配置される。さらに、側枠４は、補強のため補強部材４５が斜めに取り付けられている。側枠４では、両端の端部柱部材４１の上隅部に上連結板４５ａが溶接されている。補強部材４５は、上連結板４５ａと下辺部材４３との間に斜めに配置されて溶接されている。
側枠４は、下辺部材４３が側枠用のスキッドフレーム２７の２つの側枠端部固定用部材２７ａの間に差し込んで連結位置決めできる寸法とされ、スキッド２の長さＬよりは短くなっている。上辺部材４２は、スキッド２の長さＬと略同一の長さとしてある。
例えば、側枠４は、上辺部材４２が１１４０ｍｍ、下辺部材３３が１０７８ｍｍ、高さＨ4が１１４２ｍｍとしてある。
【００２４】
側枠４は、立設状態を保持するための連結構造として、上辺部材４２には、上下方向に開口する嵌合受け部４２ａが設けられ、平面形状がハット形の板材を溶接して形成されている。嵌合受け部４２ａには、後述するコーナーブラケット５の嵌合突片５４を嵌合することで、棲枠３と側枠４との上端隅部が連結固定される。なお、側枠４の上端隅部は、棲枠３の直角に突き出す連結突片３２ａが上辺部材４２の中空部に挿入されて連結位置決めされる。
【００２５】
組立式梱包容器１では、図１および図６に示すように、棲枠３と側枠４とが交差する上端隅部は、コーナーブラケット５を用いて連結固定する。
コーナーブラケット５は、直角３角形状の天板部５１を備えており、直角を挟む２辺の先端部側に、棲枠３の外側面および側枠４の外側面に当られる垂直片５２が下方に折り起こして形成されている。
垂直片５２には、内側に突き出す係止突起５２ａが形成され、上辺部材３２，４２の下側に係止されて抜け止めとされる。
天板部５１には、直角の２辺の基端部側に、上方に折り起こしてストッパ部５３がそれぞれ形成され、組立式梱包容器１を段積みする場合のスキッド２の４隅の位置決め用とずれ落ち防止用とされる。
天板部５１には、棲枠３の嵌合受け部３２ｂおよび側枠４の嵌合受け部４２ａに嵌合される２つの嵌合突片５４が下方に突き出して設けられる。２つの嵌合突片５４は、板材の両端部を下方に折り曲げて形成され、板材部分が天板部５１に溶接されている。
【００２６】
組立式梱包容器１では、図１および図７に示すように、上部開口を連結するための天枠６を備え、天枠６が前後の棲枠３を連結するように配置される。
天枠６は、板材を曲げ加工した中空角材の天枠部材６１の両端上面にＬ字状の係止片６２が下方に突き出して溶接されている。係止片６２には、前後の棲枠３の上辺部材３２の下側に係止される係止突起６２ａが内側に突き出して形成される。
これにより、前後の棲枠３、３の外側に被せるように天枠６を装着し、上辺部材３２の下側に係止突起６２ａを係止することで、前後の棲枠３、３を連結する。
【００２７】
このように構成した組立式梱包容器１では、例えば天部分および前部分を開口した状態で貨物などを収納する場合には、スキッド２の後部の棲枠用のスキッドフレーム２６上に棲枠３を配置して立設する。すなわち、棲枠用のスキッドフレーム２６上の両端部の棲枠端部固定部材２６ａの間に上方の開口から棲枠３を差し込んで左右の位置を位置決めするとともに、棲枠中央固定用部材２６ｂにより、棲枠３のスキッド２の前後方向外側への位置ずれを防止して立設する。
次に、スキッド２の左右に側枠４、４を配置し、側枠用のスキッドフレーム２７の側枠固定用部材２７ａの開口部から側枠４をスキッド２の外側に傾けるようにして差し込んだ後、側枠４を内側に起こすようにして立設する。
このとき、棲枠３の上辺部材３２の連結突片３２ａを側枠４の上辺部材４２の中空部に挿入して互いを連結する。
そして、棲枠３と側枠４、４とが接する上部隅部には、コーナーブラケット５を被せるようにし、棲枠３の嵌合受け部３２ｂと側枠４の嵌合受け部４２ａに嵌合突片５４をそれぞれ嵌合するとともに、垂直片５２を上辺部材３２，４２の外側に当て係止突起５２ａを上辺部材３２，４２の下側に係止する。
こうしてスキッド２への３つの枠、すなわち棲枠３と２つの側枠４の組立が完了する。
この後、貨物の収納を行い、終了後、後部の棲枠３の組立と同様にして前部の棲枠３を組み立て、さらに、天枠６を棲枠３、３の中間部に取り付けて組立式梱包容器１への梱包と完全な組み立てが完了する。
【００２８】
このような組立式梱包容器１に貨物を収納した状態で段積みする場合には、組立式梱包容器１の上端四隅のコーナーブラケット５のストッパ部５３によって２段目のスキッド２の四隅のコーナー部材２９が外側に外れることを防止して位置決めすることができる。
【００２９】
こうして海上コンテナなどに入れて輸送した後、輸送先では、組立と逆の手順で組立式梱包容器１が分解され、貨物が取り出される。この後、スキッド２から取り外した２つの棲枠３、２つの側枠４、天枠６および４つのコーナーブラケット５をスキッド２上に積み重ねて返送する。
まず、図示省略したが、スキッド２の床板２１上に天枠６を、スキッド２の略対角線方向に配置して収納する。
【００３０】
次に、スキッド２上に前後の棲枠３をそれぞれ組立状態からスキッド２側に倒すようにして、上辺部材３２をスキッド２の空間部２８に位置させて互い違いに積み重ねる。
こうすることで、スキッド２の幅Ｗと略同一長さの上辺部材３２を備える棲枠３であっても側枠用のスキッドフレーム２７と干渉せずにスキッド２からはみ出すことなく、しかも上下に隙間や空間を空けることなく積み重ねることができる。
また、スキッド２の幅Ｗに対して、組立式梱包容器１の高さＨが高くても棲枠用のスキッドフレーム２６の高さＨ1を調整して棲枠３の高さを調整してあるので、スキッド２上に棲枠３を収納することができる。例えば、スキッド２の高さＨｓを６１ｍｍとし、棲枠用のスキッドフレーム２６の高さＨ1を７５ｍｍとすれば、組立式梱包容器１の高さＨが１２４３ｍｍであることから、棲枠３の高さＨ3を１１０７ｍｍにすることで、組立式梱包容器１を構成でき、スキッド２上に棲枠３を収納できることになる。
【００３１】
この後、２つの側枠４をスキッド２上に、棲枠３と同様に、スキッド２の前後方向から倒すようにして積み重ねる。側枠４を積み重ねる場合には、既に２つの棲枠３が積み重ねてあるので、側枠４の上辺部材４２の両端部が側枠用のスキッドフレーム２７と干渉せずに積み重ねることができる。しかし、２つの側枠４をスキッド２の左右方向から積み重ねるようにすると、上辺部材２の両端部が棲枠用のスキッドフレーム２６と干渉し、積み重ねることができなくなる。なお、２つの側枠４は、互い違いに積み重ねても、同一方向で積み重ねても良い。
こうすることで、スキッド２の長さＬと同一長さの上辺部材４２を備える側枠４であっても棲枠用のスキッドフレーム２６と干渉せずにスキッド２からはみ出すことなく、しかも上下に隙間や空間を空けることなく積み重ねることができる。
また、スキッド２の長さＬに対して、組立式梱包容器１の高さＨが高くても側枠用のスキッドフレーム２７の高さＨ2を調整して側枠４の高さをスキッド２上に収納することができる。例えば、スキッド２の高さＨｓを６１ｍｍとし、側枠用のスキッドフレーム２７の高さＨ2を４０ｍｍとすれば、組立式梱包容器１の高さＨが１２４３ｍｍであることから、側枠３の高さＨ4を１１４２ｍｍにすることで、組立式梱包容器１が構成でき、スキッド２上に側枠４を収納できることになる。
スキッド２上には、２つの棲枠３および２つの側枠４の積み重ねた空間に４つのコーナーブラケット５が収納されて、組立式梱包容器１の全ての部材が収納された状態となる。
スキッド２上に積み重ねた状態で収納されたすべての部材は、４隅のコーナー部材２９の高さの範囲内に収納され、返送中の部材の飛び出しや部材のずれを防止することができる。
【００３２】
なお、上記の組立式梱包容器の分解収納では、スキッド２上に、前後の棲枠３を先に積み重ねるようにしたが、先に左右の側枠４を積み重ねるようにしても良い。この場合、先に積み重ねる側枠４は、上辺部材４２が外側となるように互い違いに積み重ねるようにして干渉を防止する必要がある。
【００３３】
このような組立式梱包容器１によれば、底部分となる矩形のスキッド２と、スキッド２の前後に立設される側面部分の１対の棲枠３と、スキッド２の左右に立設される側面部分の１対の側枠４と、を有し、組み立て使用された後にスキッド２上に分解収納して返送することを繰り返す組立式梱包容器１であって、スキッド２の周囲に設けられ棲枠３および側枠４をスキッド２上に収納可能な高さに調整する棲枠用のスキッドフレーム２６および側枠用のスキッドフレーム２７と、棲枠用のスキッドフレーム２６と側枠用のスキッドフレーム２７の交差部に設けられ収納する棲枠３または側枠４との干渉を防止する空間部２８と、を備えているので、棲枠用のスキッドフレーム２６と側枠用のスキッドフレーム２７の高さ分だけ、棲枠３や側枠４の高さを低くすることができ、底部分のスキッド２の寸法に対して高さが高い側面部分の棲枠３および側枠４を備える場合であっても分解して底部分伸すキッド２上に積み重ねることができる。
【００３４】
組立式梱包容器１は、棲枠用のスキッドフレーム２６と側枠用のスキッドフレーム２７の高さを変えて構成したので、棲枠３と側枠４の高さを変えることで、棲枠３と側枠４とを簡単に識別することができ、組み立て作業を容易にすることができる。
【００３５】
組立式梱包容器１は、空間部２８の外側に、直交する棲枠用のスキッドフレーム２６と側枠用のスキッドフレーム２７とを連結するコーナー部材２９を設けて連結したので、連結強度を確保することができるとともに、分解して積み重ねた棲枠３および側枠４がスキッド２からずり落ちることを防止するストッパとして機能させることができる。また、組立式梱包容器１を段積みする場合の位置ずれを防止することもできる。
【００３６】
組立式梱包容器１は、スキッド２が前後寸法の長さの板材または左右寸法の長さの板材に、それぞれフォークリフトの爪の間隔をあけて形成される平面部２２ａ，２３ａと、平面部２２ａ，２３ａ以外の板材の両側にスキッド２の高さで形成される折起し部２２ｂ，２３ｂと、折起し部２２ｂ，２３ｂの上端に形成され床板２１を支持する支持部２２ｃ，２３ｃと、でフォーク用ポケット部材２２，２３を構成し、フォーク用ポケット部材２２，２３を、平面部２２ａ，２３ａ同士で直交させて井桁状に組み合わせ、直交する折起し部２２ｂ，２３ｂの一方２３ｂに連結用フランジ部２３ｄを設けて他方の折起し部２２ｂに当てて連結して構成したので、板材を曲げ加工した部材を組み合わせたスキッド２とすることで、中空角材をすのこ状に組み合わせる場合に比べ、軽量化を図ることができる。また、４方差しのスキッド２を容易に構成することができる。
【００３７】
なお、本発明は、上記実施の形態によって限定されるものではなく、本発明の要旨を変更しない範囲で、適宜変更可能である。
【符号の説明】
【００３８】
１        組立式梱包容器
２        スキッド
３        棲枠
４        側枠
５        コーナーブラケット
６        天枠
２１      床板
２２      前後フォーク用ポケット部材
２２ａ    平面部
２２ｂ    折起し部
２２ｃ    支持部
２３      左右フォーク用ポケット部材
２３ａ    平面部
２３ｂ    折起し部
２３ｃ    支持部
２３ｄ    連結用フランジ部
２４      補強フレーム
２５      角部補強板
２６      棲枠用のスキッドフレーム
２６ａ    棲枠端部固定用部材
２６ｂ    棲枠中央固定用部材
２７      側枠用のスキッドフレーム
２７ａ    側枠固定用部材
２８      空間部
２９      コーナー部材
３１      端部柱部材
３２      上辺部材
３２ａ    連結突片
３２ｂ    嵌合受け部
３３      下辺部材
３４      中間部柱部材
３５      補強部材
３５ａ    上連結板
３５ｂ    下連結板
４１      端部柱部材
４２      上辺部材
４２ａ    嵌合受け部
４３      下辺部材
４４      中間部柱部材
４５      補強部材
４５ａ    上連結板
４５ｂ    下連結板
５１      天板部
５２      垂直片
５２ａ    係止突起
５３      ストッパ部
５４      嵌合突片
６１      天枠部材
６２      係止片
６２ａ    係止突起
【要約】
【課題】底部分の寸法に対して高さが高い側面部分を備える場合であっても分解して底部分に積み重ねることができる組立式梱包容器を提供する。
【解決手段】組立式梱包容器は、底部分となる矩形のスキッドと、スキッドの前後に立設される側面部分の１対の棲枠と、スキッドの左右に立設される側面部分の１対の側枠と、を有し、組み立て使用された後にスキッド上に分解収納して返送することを繰り返す組立式梱包容器であって、スキッドの周囲に設けられ棲枠および側枠をスキッド上に収納可能な高さに調整する棲枠用のスキッドフレーム２６および側枠用のスキッドフレーム２７と、棲枠用のスキッドフレーム２６と側枠用のスキッドフレーム２７の交差部に設けられ収納する棲枠または側枠との干渉を防止する空間部２８と、を備える。
【選択図】図３【図１】
0005819484.tif 000002
【図２】
0005819484.tif 000003
【図３】
0005819484.tif 000004
【図４】
0005819484.tif 000005
【図５】
0005819484.tif 000006
【図６】
0005819484.tif 000007
【図７】
0005819484.tif 000008